(57)【要約】【課題】患者の操作に応じてベース投与を変更することで、簡単かつ患者及び看護者の双方の負担を軽減できる輸液装置を提供する。【解決手段】輸液を患者の体内に投与する輸液装置１は、患者により操作されるボーラスボタン４２から出力された操作信号を受け付ける操作受付部５１と、輸液を持続的に投与するベース投与の投与速度と、操作信号に基づいて輸液を投与するボーラス投与の投与量、所定時間あたりの投与回数及び投与間隔とを含む投与条件を予め記憶する投与条件記憶部６２と、操作受付部５１による操作信号の受付状況を記憶する要求記憶部６４と、要求記憶部６４に記憶された受付状況と、投与条件記憶部６２に記憶された投与条件とに基づいて、輸液の投与を制御する投与制御部５２と、要求記憶部６４に記憶された受付状況を分析して、投与条件にあるベース投与の投与速度を変更する条件変更部５４とを備える。【選択図】図１
2019180785.tif 000002
【特許請求の範囲】
【請求項１】
疼痛緩和に利用され、輸液を患者の体内に投与する輸液装置であって、
患者により操作される操作部と、
前記操作部から出力された操作信号を受け付ける操作受付部と、
輸液を持続的に投与するベース投与の投与速度と、操作信号に基づいて輸液を投与するボーラス投与の投与量、所定時間あたりの投与回数及び投与間隔と、を含む投与条件を予め記憶する条件記憶部と、
前記操作受付部が受け付けた操作信号の受付状況を記憶する要求記憶部と、
前記要求記憶部に記憶された前記受付状況、及び前記条件記憶部に記憶された前記投与条件に基づいて、前記輸液の投与を制御する投与制御部と、
前記要求記憶部に記憶された前記受付状況を分析して、前記ベース投与の投与速度を変更する条件変更部と、を備える輸液装置。
【請求項２】
前記受付状況に基づいて、所定時間あたりの前記操作信号の受付回数が下限閾値を下回ったか否かを判定する判定部を備え、
前記条件変更部は、前記判定部により前記下限閾値を下回ったと判定された場合に、前記ベース投与の投与速度を遅く変更する請求項１に記載の輸液装置。
【請求項３】
前記条件変更部は、前記判定部により前記下限閾値を下回ったと判定された場合であって、指定時間が経過するまでの間に、前記操作信号を受け付けなかった場合には、前記ベース投与の投与速度を零に変更する請求項２に記載の輸液装置。
【請求項４】
前記判定部は、前記受付状況に基づいて、所定時間あたりの前記操作信号の受付回数が上限閾値を上回ったか否かを判定し、
前記条件変更部は、前記判定部により前記上限閾値を上回ったと判定された場合に、前記ベース投与の投与速度を速く変更する請求項２又は３に記載の輸液装置。
【請求項５】
前記受付状況に基づいて、所定時間あたりの前記操作信号の受付回数が上限閾値を上回ったか否かを判定する判定部を備え、
前記条件変更部は、前記判定部により前記上限閾値を上回ったと判定された場合に、前記ベース投与の投与速度を速く変更する請求項１に記載の輸液装置。
【請求項６】
前記ベース投与の投与速度の上限値を記憶する設定記憶部を備え、
前記条件変更部は、前記判定部により前記上限閾値を上回ったと判定された場合に、前記設定記憶部の上限値を超えない範囲で前記ベース投与の投与速度を速く変更する請求項４又は５に記載の輸液装置。
【請求項７】
前記条件変更部は、所定の時間間隔で、又は、操作受付部による操作信号受付時に、前記要求記憶部に記憶された前記受付状況を分析し、前記ベース投与の投与速度を変更する請求項１から６までのいずれかに記載の輸液装置。
【発明の詳細な説明】
【技術分野】
【０００１】
本発明は、輸液装置に関する。
【背景技術】
【０００２】
従来、医療現場において、所定の速度及びタイミングで輸液等を送液する目的で、輸液用のチューブを装着しポンプによって送液を行う輸液装置が利用されている。輸液装置には、様々な種類があり、例えば、カセット式の輸液装置が知られている（例えば、特許文献１参照）。
【０００３】
ところで、疼痛緩和に利用する輸液装置には、患者が痛みを感じたときに、患者自らによる操作により輸液の投与が可能なボーラス投与を行うためのボタンが設けられたものがある。患者自らがボタン操作をした場合、設定した条件を満たすと、輸液装置は、輸液を患者の体内に投与する。
このような輸液装置であれば、患者にとっては痛みを感じてから輸液が投与されるまでの時間を短縮でき、看護者にとっては、患者から呼ばれて輸液を投与する作業をせずに済み、双方にとって利便性が高い。
そして、輸液のレベルを自動的に調整する方法が開示されている（例えば、特許文献２参照）。
【先行技術文献】
【特許文献】
【０００４】
【特許文献１】特開２０１７−６６９０６号公報
【特許文献２】特許第５２３０６８８号公報
【発明の概要】
【発明が解決しようとする課題】
【０００５】
輸液の投与としては、設定された投与速度で持続的に輸液を投与するベース投与の他、患者自らがボタン操作をすることで所定量の輸液が投与されるボーラス投与がある。ボーラス投与の回数が極端に多い場合や少ない場合には、ベース投与の投与速度を見直す必要がある。特許文献２で提案された方法では、ベース投与の投与速度を制御するために様々な情報を入力する必要があり、煩雑であった。
【０００６】
従って、本発明は、患者の操作に応じてベース投与を変更することで、簡単かつ患者及び看護者の双方の負担を軽減できる輸液装置を提供することを目的とする。
【課題を解決するための手段】
【０００７】
本発明は、疼痛緩和に利用され、輸液を患者の体内に投与する輸液装置であって、患者により操作される操作部と、前記操作部から出力された操作信号を受け付ける操作受付部と、輸液を持続的に投与するベース投与の投与速度と操作信号に基づいて輸液を投与するボーラス投与の投与量、所定時間あたりの投与回数及び投与間隔とを含む投与条件を予め記憶する条件記憶部と、前記操作受付部が受け付けた操作信号の受付状況を記憶する要求記憶部と、前記要求記憶部に記憶された前記受付状況、及び前記条件記憶部に記憶された前記投与条件に基づいて、前記輸液の投与を制御する投与制御部と、前記要求記憶部に記憶された前記受付状況を分析して、前記ベース投与の投与速度を変更する条件変更部と、を備える輸液装置に関する。
【０００８】
また、輸液装置は、前記受付状況に基づいて、所定時間あたりの前記操作信号の受付回数が下限閾値を下回ったか否かを判定する判定部を備え、前記条件変更部は、前記判定部により前記下限閾値を下回ったと判定された場合に、前記ベース投与の投与速度を遅く変更することが好ましい。
【０００９】
また、輸液装置において、前記条件変更部は、前記判定部により前記下限閾値を下回ったと判定された場合であって、指定時間が経過するまでの間に、前記操作信号を受け付けなかった場合には、前記ベース投与の投与速度を零に変更することが好ましい。
【００１０】
また、輸液装置において、前記判定部は、前記受付状況に基づいて、所定時間あたりの前記操作信号の受付回数が上限閾値を上回ったか否かを判定し、前記条件変更部は、前記判定部により前記上限閾値を上回ったと判定された場合に、前記ベース投与の投与速度を速く変更することが好ましい。
【００１１】
また、輸液装置は、前記受付状況に基づいて、所定時間あたりの前記操作信号の受付回数が上限閾値を上回ったか否かを判定する判定部を備え、前記条件変更部は、前記判定部により前記上限閾値を上回ったと判定された場合に、前記ベース投与の投与速度を速く変更ことが好ましい。
【００１２】
また、輸液装置は、前記ベース投与の投与速度の上限値を記憶する設定記憶部を備え、前記条件変更部は、前記判定部により前記上限閾値を上回ったと判定された場合に、前記設定記憶部の上限値を超えない範囲で前記ベース投与の投与速度を速く変更することが好ましい。
【００１３】
また、輸液装置において、前記条件変更部は、所定の時間間隔で、又は、操作受付部による操作信号受付時に、前記要求記憶部に記憶された前記受付状況を分析し、前記ベース投与の投与速度を変更することが好ましい。
【発明の効果】
【００１４】
本発明によれば、患者の操作に応じてベース投与を変更することで、簡単かつ患者及び看護者の双方の負担を軽減できる輸液装置を提供できる。
【図面の簡単な説明】
【００１５】
【図１】本実施形態に係る輸液装置の概要を示す図である。
【図２】本実施形態に係る輸液装置の機能ブロックを示す図である。
【図３】本実施形態に係る輸液装置の投与条件記憶部の例を示す図である。
【図４】本実施形態に係る輸液装置の設定記憶部の例を示す図である。
【図５】本実施形態に係る輸液装置の投与処理を示すフローチャートである。
【図６】本実施形態に係る輸液装置の判定処理を示すフローチャートである。
【図７Ａ】本実施形態に係る輸液装置の要求記憶部の具体例を示す図である。
【図７Ｂ】本実施形態に係る輸液装置の要求記憶部の具体例に基づく投与速度の具体例を示す図である。
【発明を実施するための形態】
【００１６】
以下、本発明の実施形態について図面を参照しながら説明する。
本実施形態の輸液装置１は、図１に示すように、カセット２と、カセット２を着脱可能な装置本体３と、装置本体３に着脱可能な操作部４と、を備える、いわゆるカセット式の輸液装置である。
【００１７】
カセット２は、例えば、疼痛管理のための輸液の投与に用いられる。疼痛管理のための輸液においては、患者に対して鎮痛剤等を含む輸液を少量ずつ継続して供給することが求められる。
カセット２は、輸液チューブ２１の他、ハウジング２２、ロータ２３、及びカセット２を識別するための突起（図示せず）等を備える。
輸液チューブ２１は、例えばシリコン製のチューブであり、輸液が充填された点滴バックに上流側が接続され、患者に下流側が接続される。輸液チューブ２１の内径は、例えば、０．５ｍｍ程度である。輸液チューブ２１は、一部がロータ２３の外周に配置されて、ハウジング２２の内部に収容される。輸液チューブ２１は、回転するロータ２３により押圧されることで、その内部の輸液を送り出す。
【００１８】
装置本体３は、ケース３１と、表示部３２と、各種の操作ボタン３３と、モータ及び検出部等（いずれも図示せず）と、を備える。
ケース３１は、直方体状に形成され、装置本体３の外形を構成する。ケース３１の長手方向の一端側には、カセット２が装着される。また、ケース３１の長手方向のカセット２が装着される側とは反対側には、操作部が取り付けられる。
【００１９】
表示部３２は、装置本体３の正面に配置される。表示部３２は、例えば、輸液チューブ２１を流通する液体の流量等の情報を表示する。
各種の操作ボタン３３は、装置本体３の電源のＯＮ／ＯＦＦ、モータのＯＮ／ＯＦＦや、カセット２によって供給する輸液の流量を、予め設定するためのボタン等を含む。
モータは、カセット２が装着された状態でロータを回転させる。検出部は、カセット２が装着された場合に、突起の配置を検出する。検出部は、例えば、圧力センサにより構成され、突起が挿入されたことを検出する。
【００２０】
操作部４は、把持部４１と、この把持部４１に配置されたボーラスボタン４２と、一端側が把持部４１に接続されたコード４３と、コード４３の他端側に取り付けられた接続部４４と、を備える。操作部４は、把持部４１を患者が把持した状態で、親指によりボーラスボタン４２を押下操作可能な入力装置である。操作部４は、接続部４４を装置本体３に接続することで、装置本体３に取り付けられる。患者は、耐え難い疼痛を感じた際に、ボーラスボタン４２を押下する操作を行う。設定された投与速度で持続的に輸液が投与されるベース投与状態において、患者によりボーラスボタン４２が押下されることで、所定量の輸液がさらに投与される。
【００２１】
次に、装置本体３の内部構成について説明する。
輸液装置１は、図２に示す制御部５０と、記憶部６０とを、装置本体３の内部に備える。
制御部５０は、輸液装置１の全体を制御する中央処理装置（ＣＰＵ）である。制御部５０は、記憶部６０に記憶されているオペレーティングシステム（ＯＳ）やアプリケーションプログラムを適宜読み出して実行することにより、上述したハードウェアと協働し、各種機能を実行する。
制御部５０は、操作受付部５１と、投与制御部５２と、判定部５３と、条件変更部５４とを備える。
【００２２】
ここで、制御部５０の各機能部についての説明の前に、記憶部６０について説明する。
記憶部６０は、制御部５０が各種の処理を実行するために必要なプログラム、データ等を記憶するための半導体メモリ素子等の記憶領域である。
記憶部６０は、プログラム記憶部６１と、投与条件記憶部６２（条件記憶部）と、設定記憶部６３と、要求記憶部６４とを備える。
プログラム記憶部６１は、各種のプログラムを記憶するための記憶領域である。プログラム記憶部６１は、制御プログラム６１ａを記憶している。制御プログラム６１ａは、制御部５０の各種機能を実行するためのプログラムである。
【００２３】
投与条件記憶部６２は、患者に投与する輸液の投与速度等の投与条件を記憶する。図３に示すように、投与条件記憶部６２は、例えば、投薬量、ベース投与速度、ボーラス投与量、ボーラス投与回数、ボーラス投与間隔等を記憶する。
投薬量は、投与する輸液量の総投与量である。
ベース投与速度は、持続的に投与されるベース投与の投与速度であり、この例の場合、１時間に１０ｍＬの輸液が投与される。
ボーラス投与量は、ボーラスボタン４２が押下された場合に、投与されるボーラス投与の投与量であり、この例の場合、１回につき５ｍＬの輸液が投与される。
ボーラス投与回数は、ボーラスボタン４２が押下された場合に、投与されるボーラス投与の回数であり、この例の場合、１時間あたり５回まで投与が可能である。
ボーラス投与間隔は、ボーラス投与を行う時間間隔であり、この例の場合、１回ボーラス投与がされてから、１０分を経過すれば、次にボーラスボタン４２が押下された場合に、ボーラス投与がされることを示す。
【００２４】
設定記憶部６３は、ベース投与を変更する際に用いる設定情報を記憶する。図４に示すように、設定記憶部６３は、上限閾値、ベースアップ速度、下限閾値、ベースダウン速度、上限値、ベースゼロ時間（指定時間）等を記憶する。
上限閾値は、ベース投与速度を増やすのに用いられる閾値であり、この例の場合、１時間あたりにボーラスボタン４２が１０回以上押下された場合に、上限閾値以上になるため、ベース投与速度をベースアップすることを示す。
また、下限閾値は、ベース投与速度を減らすのに用いられる閾値であり、この例の場合、１時間あたりにボーラスボタン４２が押下された回数が３回以下の場合に、下限閾値以下になるために、ベース投与速度をベースダウンすることを示す。
ベースアップ速度は、ベースアップ時に増やす速度であり、この例の場合、その時点でのベース投与速度に対して１時間あたり２ｍＬを増量する。
ベースダウン速度は、ベースダウン時に減らす速度であり、この例の場合、その時点でのベース投与速度に対して１時間あたり２ｍＬを減量する。
上限値は、ベース投与速度を増やす場合の上限であり、この例の場合、１時間に２０ｍＬの投与を上限とし、それ以上は、ベース投与速度を増やさないことを示す。
ゼロベース時間は、ベース投与を行わないようにする時間であり、この例の場合、５時間の間にボーラスボタン４２が１回も押下されない場合に、ベース投与を行わないようにすることを示す。
【００２５】
要求記憶部６４は、患者によりボーラスボタン４２が押下操作されることで、制御部５０が受け付けた操作信号を、操作信号を受け付けた時間に対応付けて記憶する。
その他、記憶部６０は、カセット２の種類に対応付けて、輸液の流量の範囲を記憶していてもよい。
【００２６】
次に、制御部５０の各機能部について説明する。
操作受付部５１は、患者によりボーラスボタン４２が操作されることで、ボーラスボタン４２が送出した操作信号を受け付ける。また、操作受付部５１は、各種の操作ボタン３３による操作を受け付ける。
投与制御部５２は、要求記憶部６４に記憶された操作信号の受付状況と、投与条件記憶部６２に記憶された投与条件とに基づいて、輸液の投与に関する制御を行う。
判定部５３は、設定記憶部６３を参照し、所定時間あたりの操作信号の受付回数からベース投与の投与速度を変更するか否かを判定する。
条件変更部５４は、判定部５３による判定結果に従って、ベース投与の投与速度を変更する。
【００２７】
続いて、輸液装置１の動作について説明する。
図５は、本実施形態に係る輸液装置１の投与処理を示すフローチャートである。
図６は、本実施形態に係る輸液装置１の判定処理を示すフローチャートである。
まずは、カセット２が装置本体３に装着され、各種の操作ボタン３３が、例えば、看護者により操作されることで、装置本体３の電源がＯＮになり、図５に示す投与処理が開始される。
図５のステップＳ（以下、「ステップＳ」を単に「Ｓ」という。）１０において、制御部５０は、初期処理を行う。
【００２８】
初期処理として、検出部がカセット２の突起の配置を検出することで、制御部５０は、検出された突起の配置に基づいて、装着されたカセット２を特定し、特定したカセット２の輸液の流量の範囲を、予め記憶された記憶部６０から抽出して表示部３２に表示させる。また、看護者により各種の操作ボタン３３が操作されることで、カセット２によって供給可能な輸液の流量の範囲内において、カセット２によって供給される輸液の流量が、輸液装置１に入力される。制御部５０は、カセット２によって供給される輸液の流量を、投与条件記憶部６２に記憶すると共に、表示部３２に表示する。
【００２９】
Ｓ１１において、例えば、看護者によって操作ボタン３３により投与開始のための操作がされることで、制御部５０は、開始操作を受け付けたか否かを判断する。開始操作を受け付けた場合（Ｓ１１：ＹＥＳ）には、処理をＳ１２に移す。他方、開始操作を受け付けていない場合（Ｓ１１：ＮＯ）には、制御部５０は、開始操作を受け付けるまで本処理に留まる。
Ｓ１２において、制御部５０（投与制御部５２）は、モータをＯＮにし、患者に対して、投与条件記憶部６２に記憶された投与条件に従って輸液を供給する。
【００３０】
Ｓ１３において、制御部５０（操作受付部５１）は、ボーラスボタン４２からの操作信号を受け付けたか否かを判断する。操作信号を受け付けた場合（Ｓ１３：ＹＥＳ）には、制御部５０は、処理をＳ１４に移す。他方、操作信号を受け付けていない場合（Ｓ１３：ＮＯ）には、制御部５０は、処理をＳ１５に移す。
Ｓ１４において、制御部５０（投与制御部５２）は、ボーラス投与回数の範囲内である場合に、所定量の輸液を投与する。ここで、所定量は、ボーラス投与量である。なお、ボーラス投与回数を超えて操作信号を受け付けた場合には、制御部５０は、所定量の輸液を投与しない。また、制御部５０は、操作信号を受け付けた時間に対応付けて操作信号を受け付けた旨の情報を、要求記憶部６４に記憶させる。
Ｓ１５において、制御部５０は、検証時間になったか否かを判断する。検証時間とは、ベース投与速度を見直す時間間隔を表すものであり、例えば、１時間等である。検証時間になった場合（Ｓ１５：ＹＥＳ）には、制御部５０は、処理をＳ１６に移す。他方、検証時間になっていない場合（Ｓ１５：ＮＯ）には、制御部５０は、処理をＳ１７に移す。
Ｓ１６において、制御部５０（判定部５３、条件変更部５４）は、判定処理を行う。
【００３１】
ここで、判定処理について、図６に基づき説明する。
図６のＳ２０において、制御部５０は、検証時間内に要求記憶部６４に記憶された操作信号の受付回数をカウントする。
Ｓ２１において、制御部５０（判定部５３）は、カウントした受付回数が、設定記憶部６３に記憶された上限閾値以上か否かを判定する。受付回数が上限閾値以上である場合（Ｓ２１：ＹＥＳ）には、制御部５０は、処理をＳ２２に移す。他方、受付回数が上限閾値未満の場合（Ｓ２１：ＮＯ）には、制御部５０は、処理をＳ２５に移す。
【００３２】
Ｓ２２において、制御部５０（判定部５３）は、現在の投与速度が、設定記憶部６３に記憶された上限値であるか否かを判定する。現在の投与速度が上限値である場合（Ｓ２２：ＹＥＳ）には、制御部５０は、本処理を終了し、処理を図５に移す。他方、現在の投与速度が上限値ではない場合（Ｓ２２：ＮＯ）には、制御部５０は、処理をＳ２３に移す。
Ｓ２３において、制御部５０（条件変更部５４）は、設定記憶部６３を参照し、ベース投与の投与速度を、ベースアップ速度分増やす。なお、制御部５０は、ベースアップ速度分増やすと上限値を超える場合には、上限値を上限としてベース投与の投与速度を増やす。そして、制御部５０は、変更したベース投与の投与速度を、投与条件記憶部６２に反映させる。その後、制御部５０は、本処理を終了し、処理を図５に移す。
【００３３】
他方、Ｓ２５において、制御部５０（判定部５３）は、カウントした受付回数が、設定記憶部６３に記憶された下限閾値以下であるか否かを判定する。受付回数が下限閾値以下である場合（Ｓ２５：ＹＥＳ）には、制御部５０は、処理をＳ２６に移す。他方、受付回数が下限閾値よりも多い場合（Ｓ２５：ＮＯ）には、制御部５０は、本処理を終了し、処理を図５に移す。つまり、カウントした受付回数が、設定記憶部６３に記憶された上限閾値と下限閾値との間である場合には、制御部５０は、ベース投与の投与速度を変更せず、現在の投与速度を維持する。
【００３４】
Ｓ２６において、制御部５０（判定部５３）は、設定記憶部６３のベースゼロ時間分、要求記憶部６４に記憶された操作信号の受付回数を参照し、受付回数が０であるか否かを判断する。受付回数が０である場合（Ｓ２６：ＹＥＳ）には、制御部５０は、処理をＳ２７に移す。他方、受付回数が０ではない場合（Ｓ２６：ＮＯ）には、制御部５０は、処理をＳ２８に移す。
Ｓ２７において、制御部５０（条件変更部５４）は、ベース投与の投与速度を０にし、投与条件記憶部６２に反映させる。その後、制御部５０は、本処理を終了し、処理を図５に移す。つまり、ベースゼロ時間分を遡ってボーラスボタン４２が操作されることがなかった場合には、患者は、疼痛を感じなくなったものと思われるため、ベース投与の投与速度を０にする。そのため、その後は、制御部５０（投与制御部５２）は、ベース投与を行わない。
【００３５】
Ｓ２８において、制御部５０（条件変更部５４）は、設定記憶部６３を参照し、ベース投与の投与速度を、ベースダウン速度分減らす。そして、制御部５０は、変更したベース投与の投与速度を、投与条件記憶部６２に反映させる。その後、制御部５０は、本処理を終了し、処理を図５に移す。
【００３６】
図５に戻り、Ｓ１７において、制御部５０は、投与処理を終了するか否かを判断する。制御部５０は、例えば、輸液がなくなったことを検出し、又は、各種の操作ボタン３３により終了操作を受け付けた場合には、投与処理を終了すると判断する。投与処理を終了する場合（Ｓ１７：ＹＥＳ）には、制御部５０は、本処理を終了する。他方、投与処理を終了しない場合（Ｓ１７：ＮＯ）には、制御部５０は、処理をＳ１３に移す。
【００３７】
次に、具体例を用いて処理を説明する。
図７Ａは、本実施形態に係る輸液装置１の要求記憶部６４の具体例を示す図である。
図７Ｂは、本実施形態に係る輸液装置１の要求記憶部６４の具体例に基づく投与速度の具体例を示す図である。
図７Ａ及び図７Ｂは、投与開始時間を０とし、横軸を時間軸としてタイムチャートに表したものである。図７Ａは、要求記憶部６４に記憶された操作信号の受付時間をタイムチャートによって示したものであり、操作信号を受け付けた時間の位置に、受付点Ｐを付している。
【００３８】
時間ｔ１から時間ｔ６までの間の各時間は、検証時間を示し、その間隔は一定である。例えば、時間０から時間ｔ１までの検証時間には、受付点Ｐが１１あるので、患者がボーラスボタン４２を１１回押下したことを表す。また、時間ｔ１から時間ｔ２までの検証時間には、受付点Ｐは３つあり、患者がボーラスボタン４２を３回押下したことを表す。なお、この受付点Ｐ１は、患者によるボーラスボタン４２の押下操作による操作信号を受け付けたものを示し、実際にボーラス投与がされたか否かについては、示されていない。また、患者が１度のタイミングにボーラスボタン４２を複数回連打した場合については、複数回分としてカウントしてもよいし、例えば、３秒間に複数回押されていても１回とカウントしてもよい。
【００３９】
図７Ｂは、時間の経過と共に変更されたベース投与速度のグラフ７０を示す。投与開始時点では、投与条件記憶部６２に記憶されたベース投与速度（１０ｍＬ／ｈ）に従って患者に輸液が投与される。
そして、時間ｔ１になると、要求記憶部６４に記憶された検証時間内の受付回数が１１であり、上限閾値の１０以上であるので、制御部５０は、その時点でのベース投与速度にベースアップ速度分を増やし、ベース投与速度を１２ｍＬ／ｈに変更する（位置７０ａ参照）。
【００４０】
その後、時間ｔ２になると、要求記憶部６４に記憶された検証時間内の受付回数が３であり、下限閾値の３以下であるので、制御部５０は、その時点でのベース投与速度にベースダウン速度分を減らし、ベース投与速度を１０ｍＬ／ｈに変更する（位置７０ｂ参照）。
【００４１】
その後も、制御部５０は、検証時間になると、上述の判定処理を繰り返し、ベース投与速度を、要求記憶部６４に記憶された受付回数に従って変更する。なお、時間ｔ４になった際に行う処理では、受付回数が５であり、上限閾値と下限閾値の間の値であるため、制御部５０は、ベース投与速度を変更せず、その時点でのベース投与速度を維持する（位置７０ｃ参照）。
【００４２】
このように、本実施形態に係る輸液装置１によれば、以下の効果が奏される。
本実施形態では、輸液装置１において、ボーラスボタン４２が押下されることで送出した操作信号を受け付けて、検証時間内における操作信号の受付回数に基づいて、ベース投与の投与速度を変更するようにした。
これにより、患者の疼痛に対するボーラスボタン４２の押下操作のみに応じて、ベース投与の投与速度を変更でき、患者にとって最適なベース投与の投与速度に、自動的に変更することができる。その結果、患者の疼痛に対する負担を軽減できる。また、輸液投与中の看護者の操作等を不要にするため、看護者の作業負担が軽減できる。さらに、投与速度の変更が簡単である。
【００４３】
また、本実施形態では、受付回数の下限閾値を設定し、検証時間内での受付回数が下限閾値以下であるか否かを判定し、下限閾値以下である場合にベース投与の投与速度を遅く変更するようにした。
これにより、下限閾値以下の患者の操作があって初めてベース投与の投与速度を遅くするので、患者の疼痛度合いに対応してベース投与の投与量を少なくすることができる。結果として、不要な輸液の投与を抑えることができる。
【００４４】
また、本実施形態では、ベース投与の投与速度を０、すなわち、ベース投与をしないように変更するベースゼロ時間を記憶し、ベースゼロ時間内での受付回数が０である場合に、ベース投与の投与速度を０にするようにした。
これにより、患者が必要としない輸液の投与をしないようにできる。
【００４５】
また、本実施形態では、受付回数の上限閾値を設定し、検証時間内での受付回数が上限閾値以上であるか否かを判定し、上限閾値以上である場合にベース投与の投与速度を速く変更するようにし、上限値に達するまで投与速度を速く変更できるようにした。
これにより、上限閾値以上の患者の操作があって初めてベース投与の投与速度を速くするので、患者の疼痛度合いに対応してベース投与の投与量を多くすることができる。また、上限値に達した場合には、ベース投与の投与速度をそれ以上にはしないため、安全性を確保できる。
【００４６】
なお、本発明は本実施形態に限定されるものではなく、本発明の目的を達成できる範囲での変形、改良等は本発明に含まれる。
本実施形態においては、投与開始からの一定時間を検証時間として検証時間になると検証処理を行うものとしたが、例えば、操作信号の受付時に、その時点から過去に遡って検証時間内の受付回数に基づいて、ベース投与の投与速度を変更するようにしてもよい。そのようにすることで、ベース投与の投与速度を変更するタイミングを、より患者の疼痛に対する操作に対応したものにできる。
【００４７】
また、本実施形態においては、カセット式の輸液装置を例に説明したが、本発明はこれに限定されない。本発明では、患者が操作可能な操作部を備えた輸液装置であれば、他の装置等であってもよい。
【符号の説明】
【００４８】
１  輸液装置
３  装置本体
４２  ボーラスボタン（操作部）
５０  制御部
５１  操作受付部
５２  投与制御部
５３  判定部
５４  条件変更部
６０  記憶部
６２  投与条件記憶部
６３  設定記憶部
６４  要求記憶部
【図１】
2019180785.tif 000003
【図２】
2019180785.tif 000004
【図３】
2019180785.tif 000005
【図４】
2019180785.tif 000006
【図５】
2019180785.tif 000007
【図６】
2019180785.tif 000008
【図７Ａ】
2019180785.tif 000009
【図７Ｂ】
2019180785.tif 000010